(57)【要約】【課題】表示装置の重心位置を高くすることなく、表示装置の転倒角を大きくし、転倒を防止することができる表示装置を提供する。【解決手段】  前面に画像表示面を有する表示部１と、表示部１が取付けられる脚部２２及び脚部２２が立設されるベース部２１を有し、表示部１を起立状態にて支持するスタンド２とを備える表示装置において、スタンド２のベース部２１の空洞内に転倒防止体３，３…を設け、表示部１の傾きが所定値以上になったときに、転倒防止体３，３…がスタンド２のベース部２１の外部へ前後方向に突出するように構成されており、表示装置の重心位置を高くすることなく転倒防止体３，３…を取付け、表示装置の転倒角を大きくし、転倒を防止することができる。【選択図】図１
2007334259.tif 000002
【特許請求の範囲】
【請求項１】
前面に画像表示面を有する表示部と、該表示部が取付けられている脚部及び該脚部が立設されている基部を有し、前記表示部を起立状態にて支持するスタンドとを備える表示装置において、前記基部は空洞を有しており、前記基部の外部へ前後方向に突出可能に前記空洞内に設けられ、前記表示部の転倒を防止する転倒防止体と、前記表示部の傾きが所定値以上になったことを検出する検出手段と、該検出手段が所定値以上の傾きを検出したときに、前記転倒防止体を前記基部の外部へ突出させるアクチュエータとを備えることを特徴とする表示装置。
【請求項２】
前記検出手段は、前記表示部又は脚部に設けられた空洞内に、前記表示部の傾きに応じて揺動可能に垂設されている重りと、前記アクチュエータを作動させるスイッチとを備え、前記表示部の傾きが所定値以上になったときに、前記重りにより前記スイッチが作動するように構成してある請求項１記載の表示装置。
【請求項３】
前記検出手段は、前記基部の底面と略平行をなし、前後方向に両端を有する筒体と、該筒体の内部を転動する転動体と、前記筒体の両端に設けられ、前記アクチュエータを作動させるスイッチとを備え、前記筒体は、前記表示部の傾きに伴って生じる前記転動体の軌跡が中央から両端に向けて上向きに傾斜をなし、前記傾きが所定値以上になったときに、前記転動体により前記スイッチが作動するように構成してある請求項１記載の表示装置。
【請求項４】
前記基部の空洞内に一部が固定され、前記転倒防止体に他の部分にて固定されている弾性体を備え、該弾性体は、前記転倒防止体の前記基部の外部への突出に伴い伸張し、突出方向と逆向きの復元力が該転倒防止体に作用するように取付けてある請求項１乃至請求項３のいずれか一つに記載の表示装置。
【発明の詳細な説明】
【技術分野】
【０００１】
本発明は、液晶表示装置、プラズマ表示装置等の表示装置に関する。
【背景技術】
【０００２】
液晶表示装置、プラズマ表示装置等の表示装置は、一般に、前面に画像表示面を有する表示部と、該表示部を起立状態にて支持するスタンドとを備えている。このような表示装置は、一般に、前記表示部が前記スタンドより重量があるため、重心が高位置となり、また床、載置台等の平面に載置されるスタンドの基部の奥行きが短いため、表示装置が前後に傾いたとき転倒せずに元の位置に復元可能である限界角度（以下、転倒角という）が小さく、前後に転倒しやすいという問題がある。地震等の揺れによる表示装置の転倒を防止するため、例えば、重りを加えて表示装置全体の重心位置を下げることが考えられるが、表示装置の軽量化を図りたいという相反する要望があり、また表示部が最も重量があるため、表示装置の重心位置を下げることは困難である。
【０００３】
このような問題に対応するため、床、載置台等の平面に接触する底面積を実質的に増加して、平面に接触する前後方向の長さを増大させ、転倒角を大きくする装置が提案されている（例えば、特許文献１参照）。特許文献１において、筐体の基底部に該基底部に対して平行にスライド可能なスライド部材と、該スライド部材をスライドさせるアクチュエータと、前記筐体の傾きが所定値以上になったことを検出する傾き検出手段とを備え、前記筐体の傾きが所定値以上になったとき、前記スライド部材を筐体が傾いた方向にスライドさせ、筐体の端面から突出させることにより、転倒角を大きくし、筐体の転倒を防止するように構成された転倒防止機構が提案されている。
【特許文献１】特開平８−２５２１３５号公報
【発明の開示】
【発明が解決しようとする課題】
【０００４】
ところが、特許文献１の転倒防止機構を液晶表示装置、プラズマ表示装置等の表示装置に適用して、スライド部材及び検出手段を外付けする場合、スタンドの基部に追加的なスペースを必要とし、表示装置の重心位置が高くなるという問題があった。また大型化し、外観が見苦しくなるという問題があった。
【０００５】
本発明は斯かる事情に鑑みてなされたものであり、主たる目的は、スタンドの基部の外部へ前後方向に突出可能に基部の空洞内に設けられた転倒防止体と、表示部の傾きが所定値以上になったことを検出する検出手段と、所定値以上の傾きが検出されたときに、転倒防止体を突出させるアクチュエータとを設けることにより、表示装置の重心位置を高くすることなく、表示装置の転倒角を大きくし、転倒を防止することができ、また外観を美しく保持できる表示装置を提供することにある。
【０００６】
また他の目的は、表示部又は脚部に設けられた空洞内に、表示部の傾きに応じて揺動可能に垂設されている重りと、アクチュエータを作動させるスイッチとを検出手段が備え、表示部の傾きが所定値以上になったときに、重りによりスイッチが作動するように構成してあることにより、追加的なスペースを必要とせず自動的に表示部の傾きを検出することができ、また容易に転倒防止体が動作する角度を設定することができる表示装置を提供することにある。
【０００７】
また他の目的は、基部の底面と略平行をなし、前後方向に両端を有する筒体と、筒体の内部を転動する転動体と、筒体の両端に設けられ、アクチュエータを作動させるスイッチとを検出手段が備え、表示部の傾きに伴って生じる転動体の軌跡が中央から両端に向けて上向きに傾斜をなし、表示部の傾きが所定値以上になったときに、転動体によりスイッチが作動するように筒体を構成してあることにより、追加的なスペースを必要とせず自動的に表示部の傾きを検出することができ、また容易に転倒防止体が動作する角度を設定することができる表示装置を提供することにある。
【０００８】
また他の目的は、基部の空洞内に一部が固定され、転倒防止体に他の部分にて固定されている弾性体を設け、弾性体が、転倒防止体の突出に伴い伸張し、突出方向と逆向きの復元力を転倒防止体に作用するように取付けてあることにより、アクチュエータのスイッチがオフになったときに、弾性体の復元力により自動的に転倒防止体をスタンドの基部の空洞内に収納することができる表示装置を提供することにある。
【課題を解決するための手段】
【０００９】
本発明に係る表示装置は、前面に画像表示面を有する表示部と、該表示部が取付けられている脚部及び該脚部が立設されている基部を有し、前記表示部を起立状態にて支持するスタンドとを備える表示装置において、前記基部は空洞を有しており、前記基部の外部へ前後方向に突出可能に前記空洞内に設けられ、前記表示部の転倒を防止する転倒防止体と、前記表示部の傾きが所定値以上になったことを検出する検出手段と、該検出手段が所定値以上の傾きを検出したときに、前記転倒防止体を前記基部の外部へ突出させるアクチュエータとを備えることを特徴とする。
【００１０】
この発明にあっては、スタンドの基部の空洞内に転倒防止体を設け、表示部の傾きが所定値以上になったときに、転倒防止体がスタンドの基部の外部へ前後方向に突出するように構成してあるから、表示装置の重心位置を高くすることなく、表示装置の転倒角を大きくし、転倒を防止することができ、また外観を美しく保持できる。
【００１１】
また、本発明に係る表示装置は、前記検出手段は、前記表示部又は脚部に設けられた空洞内に、前記表示部の傾きに応じて揺動可能に垂設されている重りと、前記アクチュエータを作動させるスイッチとを備え、前記表示部の傾きが所定値以上になったときに、前記重りにより前記スイッチが作動するように構成してあることを特徴とする。
【００１２】
この発明にあっては、表示部の傾きが所定値以上になったときに、揺動可能に垂設された重りによりアクチュエータのスイッチが作動するように構成してあるから、追加的なスペースを必要とせず自動的に表示部の傾きを検出することができる。また重りを吊っている例えばワイヤ、紐等の長さ、スイッチの位置等のパラメータを変更することにより、容易に転倒防止体が動作する角度を設定することができる。
【００１３】
また、本発明に係る表示装置は、前記検出手段は、前記基部の底面と略平行をなし、前後方向に両端を有する筒体と、該筒体の内部を転動する転動体と、前記筒体の両端に設けられ、前記アクチュエータを作動させるスイッチとを備え、前記筒体は、前記表示部の傾きに伴って生じる前記転動体の軌跡が中央から両端に向けて上向きに傾斜をなし、前記傾きが所定値以上になったときに、前記転動体により前記スイッチが作動するように構成してあることを特徴とする。
【００１４】
この発明にあっては、表示部の傾きが所定値以上になったときに、筒体の内部を転動する転動体によりアクチュエータのスイッチが作動するように構成してあるから、追加的なスペースを必要とせず自動的に表示部の傾きを検出することができる。また筒体の形状の変更、例えば筒体の底面の傾斜角度を変更することにより、容易に転倒防止体が動作する角度を設定することができる。
【００１５】
また、本発明に係る表示装置は、前記基部の空洞内に一部が固定され、前記転倒防止体に他の部分にて固定されている弾性体を備え、該弾性体は、前記転倒防止体の前記基部の外部への突出に伴い伸張し、突出方向と逆向きの復元力が該転倒防止体に作用するように取付けてあることを特徴とする。
【００１６】
この発明にあっては、転倒防止体の突出に伴い伸張し、突出方向と逆向きの復元力を転倒防止体に作用する弾性体を取付けてあるから、アクチュエータを作動させるスイッチがオフになったときに、弾性体の復元力により自動的に転倒防止体をスタンドの基部の空洞内に収納することができる。
【発明の効果】
【００１７】
以上詳述したように本発明によれば、表示装置の重心位置を高くすることなく、表示装置の転倒角を大きくし、転倒を防止することができ、また外観を美しく保持できる。
【００１８】
また、本発明によれば、追加的なスペースを必要とせず自動的に表示部の傾きを検出することができる。また容易に転倒防止体が動作する角度を設定することができる。
【００１９】
また、本発明によれば、弾性体の復元力により自動的に転倒防止体をスタンドの基部の空洞内に収納することができる。
【発明を実施するための最良の形態】
【００２０】
以下、本発明をその実施の形態を示す図面に基づいて詳述する。
実施の形態１
図１は本発明の実施の形態１に係る表示装置の構成を示す側面図である。図２はスタンドの形状を略示する平面図であり、転倒防止体の動作説明図である。図２（ａ）は表示装置が静止している静止状態を、図２（ｂ）は表示装置が揺れにより所定値以上前方に傾いている前方傾き状態を夫々示している。
【００２１】
図１に示す表示装置は、略直方体をなし、テレビ画像を表示する表示部１と、該表示部１の下側に配置され、表示部１を起立状態にて支持するスタンド２とを備える液晶テレビである。
【００２２】
表示部１は、前側に画像表示面を有する液晶のパネルと、該パネルの後側に配置された光学シートと、拡散板と、バックライト部と、電源基板を含むテレビ基板と、これらの部品を収容する筐体１１とを備えており、筐体１１の後面下部にスタンド２が取付けられている。
【００２３】
スタンド２は、例えば載置台に載置されるベース部（基部）２１と、該ベース部２１の中央に立設する脚部２２とを有し、該脚部２２の上端部が表示部１の後側に取付けられている。ベース部２１は、図２に示すように左右に延びる本体部２１ａと、該本体部２１ａの両端から前後に延びる腕部２１ｂ，２１ｂとを備えている。
【００２４】
このように構成された本発明に係る表示装置は、表示部１の転倒を防止する転倒防止体３，３…と、表示部１の傾きが所定値以上になったことを検出する検出手段４と、転倒防止体３，３…を突出させるよう作動するアクチュエータであるソレノイド５，５…とを備えている。図３はスタンドの部分断面図であり、転倒防止体の動作説明図である。図３（ａ）は表示装置が静止している静止状態を、図３（ｂ）は表示装置が揺れにより所定値以上傾いている傾き状態を夫々示している。また図４は検出手段の動作説明図であり、図４（ａ）は表示装置が静止している静止状態を、図４（ｂ）は表示装置が揺れにより所定値以上前方に傾いている前方傾き状態を、図４（ｃ）は表示装置が揺れにより所定値以上後方に傾いている後方傾き状態を夫々示している。
【００２５】
転倒防止体３，３…は、図２（ｂ）に示すように、略矩形をなす平板であり、腕部２１ｂ，２１ｂの前後の端部に夫々設けてある。転倒防止体３，３…は、表示装置が静止している静止状態において、図２（ａ）に示すように、ベース部２１に設けられた空洞内に収納されており、図３（ａ）に示すように、一端が腕部２１ｂ，２１ｂの端面に夫々整合するように位置決めされており、他端は、軸を介してソレノイド５，５…に連結されている。
【００２６】
ソレノイド５，５…は、固定鉄心と、該固定鉄心と一定の距離を隔てて配されている可動鉄心と、励磁用のコイルと、磁気回路を形成するフレームとを備え、電気的エネルギを機械的直線運動に変換し、可動鉄心に結合された機構を駆動するそれ自体公知のアクチュエータである。この可動鉄心に前述した転倒防止体３，３…の他端が軸を介して連結されている。
【００２７】
検出手段４は、図４に示すように、スタンド２の脚部２２の空洞内に設けてあり、例えばワイヤにより揺動可能に吊り下げられている重り４０と、スイッチ４１，４１とを備えている。重り４０は、静止状態において、図４（ａ）に示すように、脚部２２の上部に取付けられた複数のワイヤにより脚部２２の前後方向の真ん中に位置するように調節されており、自重により垂下している。スイッチ４１，４１は、図４（ｂ）及び図４（ｃ）に示すように、重り４０が前後方向に振れ、揺動角度が所定値以上になったときに重り４０が当接する位置に設けられている。尚、重り４０を吊り下げるワイヤの長さ、スイッチ４１，４１を設ける位置等のパラメータを変更することにより、転倒防止体３，３…が動作する角度を転倒角以下の範囲内にて適宜設定することができる。
【００２８】
スイッチ４１，４１は、表示部１の内部に設けられた図示しない制御部に接続され、スイッチ４１，４１により発せられた信号は、前記制御部に与えられる。制御部は、スイッチ４１，４１の信号に応じて、ソレノイド５，５…に指令信号を発し、ソレノイド５，５…を駆動する。
【００２９】
以上の構成により、静止状態においては、図４（ａ）に示すように、重り４０がスイッチ４１，４１の中間位置に静止しているため、ソレノイド５，５…は駆動されず、図２（ａ）及び図３（ａ）に示すように、ベース部２１の腕部２１ｂ，２１ｂの空洞内に転倒防止体３，３…が収納されている。一方、傾き状態においては、図４（ｂ）又は図４（ｃ）に示すように、表示装置が前方又は後方に傾いたとき、この傾きの方向に応じて重り４０が前方又は後方のスイッチ４１を押圧し、このスイッチ４１により発せられた信号が制御部に与えられ、この信号に応じて制御部が指令信号を発し、この指令信号により駆動されたソレノイド５，５の動作により、図３（ｂ）に示すように、ソレノイド５，５に取付けられた軸を介して転倒防止体３，３が前方又は後方に押し出される。このように転倒防止体３，３が、表示装置が傾いた側の腕部２１ｂ，２１ｂの端面より突出することにより、床、載置台等の平面に接触する底面積が実質的に増え、平面に接触する前後方向の長さが増大し、転倒角が大きくなる。
【００３０】
以上のように構成された本発明に係る表示装置においては、スタンド２のベース部２１の空洞内に転倒防止体３，３…を設け、表示部１の傾きが所定値以上になったときに、転倒防止体３，３…がスタンド２のベース部２１の外部へ突出するよう構成されており、表示装置の重心位置を高くすることなく転倒防止体３，３…を取付け、表示装置の転倒角を大きくし、転倒を防止することができる。またスタンド１のベース部２１の空洞内に転倒防止体３，３…を設けてあるから、表示装置の外観を美しく保持できる。更に表示部１の傾きが所定値以上になったときに、揺動可能に垂設された重り４０がソレノイド５，５…のスイッチ４１，４１を押圧するように構成してあるから、追加的なスペースを必要とせず自動的に表示部１の傾きを検出することができる。また重り４０を垂設している例えばワイヤ、紐等の長さ、スイッチ４１，４１の位置等のパラメータを変更することにより、容易に転倒防止体３，３…が動作する角度を設定することができる。
【００３１】
実施の形態２
図５は本発明の実施の形態２に係る表示装置の検出手段の動作説明図であり、図５（ａ）は静止状態を、図５（ｂ）は前方傾き状態を、図５（ｃ）は後方傾き状態を夫々示している。図６は検出手段の拡大図である。
【００３２】
検出手段４は、図５に示すように、スタンド２の脚部２２の内部にベース部２１の底面と略平行をなし、前後方向に両端を有し、円形の断面形状をなす筒体４２と、該筒体４２の内部を転動する転動体であるボール４３と、筒体４２の両端に設けられ、ソレノイド５，５…を作動させるスイッチ４１，４１とを備えている。
【００３３】
筒体４２は、図６（ａ）に示すように、中央から両端に向けて上向きに傾斜する略Ｖ字型の形状を有しており、この上向きの傾斜角度が夫々θになるように形成されている。このためボール４３は、図６（ｂ）に示すように、表示装置がθ以上傾いたとき、図中に矢符にて示すように傾いた方向（図においては後方）に転動して、スイッチ４１を押圧することになる。なお、筒体４２の傾斜角度θを変更するという簡単な設計変更により、転倒防止体３，３…が動作する角度を転倒角以下の範囲内にて適宜設定することができる。なお、筒体４２の断面形状は円形に限定されず、矩形等適宜の形状が可能であり、また転動体はボール４３に限定されず、例えば円柱等、筒体４２の内部を転動可能な形状であればよい。
【００３４】
以上の構成により、静止状態においては、図５（ａ）に示すように、ボール４３がスイッチ４１，４１の中間位置に静止しているため、ソレノイド５，５…は駆動されず、ベース部２１の腕部２１ｂ，２１ｂの空洞内に転倒防止体３，３…が収納されている。一方、傾き状態においては、図５（ｂ）又は図５（ｃ）に示すように、表示装置が前方又は後方に傾いたとき、この傾きの方向に応じてボール４３が前方又は後方のスイッチ４１を押圧し、このスイッチ４１により発せられた信号が制御部に与えられ、この信号に応じて制御部が指令信号を発し、この指令信号により駆動されたソレノイド５，５の動作により、ソレノイド５，５に取付けられた軸を介して転倒防止体３，３が前方又は後方に押し出される。
【００３５】
以上のように構成された本発明に係る表示装置においては、表示部１の傾きが所定値以上になったときに、筒体４２の内部を転動するボール４３がソレノイド５，５…のスイッチ４１，４１を押圧するように構成してあるから、簡素な構成にて自動的に表示部１の傾きを検出することができる。また筒体４２の底面の傾斜角度θを変更することにより、容易に転倒防止体３，３…が動作する角度を設定することができる。
【００３６】
実施の形態３
図７は本発明の実施の形態３に係る表示装置の検出手段の動作説明図である。図７に示すように、検出手段４は、スタンド２のベース部２１の内部に設けてある。その他の構成は、図５に示すと同様であるため、対応する構成部材に図５と同一の参照符号を付して、その構成及び動作の詳細な説明を省略する。
【００３７】
以上のように構成された本発明に係る表示装置においては、表示部１の傾きが所定値以上になったときに、筒体４２の内部を転動するボール４３がソレノイド５，５…のスイッチ４１，４１を押圧するように構成してあるから、簡素な構成にて自動的に表示部１の傾きを検出することができる。また筒体４２の底面の傾斜角度θを変更することにより、容易に転倒防止体３，３…が動作する角度を設定することができる。
【００３８】
実施の形態４
図８は本発明の実施の形態４に係る表示装置の転倒防止体の動作説明図であり、図８（ａ）は静止状態を、図８（ｂ）は傾き状態を夫々示している。
【００３９】
転倒防止体３は、図８に示すように、ソレノイド５，５…側の一端面から下方に延びる略矩形をなす取付け部３１を有しており、該取付け部３１には、弾性体であるバネ６，６…の一端が固定され、バネ６，６…の他端は、ソレノイド５，５…を基部２１に固設する支持部材７に固定されている。尚、取付け部３１の適長離隔した２箇所にバネ６，６…を夫々固定し、バネ６，６…の他端を支持部材７の両側面に夫々固定するように構成する方がより好ましい。バネ６，６…は、図８（ａ）に示す静止状態において、自然長になるように取付けてある。なお、弾性体はバネに限定されないのは言うまでもない。
【００４０】
以上の構成により、静止状態においては、図８（ａ）に示すように、ベース部２１の腕部２１ｂ，２１ｂの空洞内に転倒防止体３，３…が収納されている。このときのバネ６，６…は自然長であるため、転倒防止体３，３…に力は作用していない。一方、傾き状態においては、図８（ｂ）に示すように、駆動されたソレノイド５，５の動作により、ソレノイド５，５に取付けられた軸を介して転倒防止体３，３が押し出される。この結果、バネ６，６が伸張され、転倒防止体３，３に突出方向と逆向きにバネ６，６の復元力が作用する。表示部１の傾きが所定値未満になり、ソレノイド５，５のスイッチ４１がオフになると、転倒防止体３，３はバネ６，６の復元力によりベース部２１の腕部２１ｂ，２１ｂの空洞内に収納される。
【００４１】
以上のように構成された本発明に係る表示装置においては、転倒防止体３，３…の突出方向と逆向きの力を付与するバネ６，６…を備えているから、ソレノイド５，５…を動作させるスイッチ４１，４１がオフになったときに、バネ６，６…の復元力により自動的に転倒防止体３，３…をベース部２１の腕部２１ｂ，２１ｂの空洞内に収納することができる。
【００４２】
なお、以上の実施の形態において、検出手段４及びソレノイド５，５…をスタンド２の内部に設けているが、これに限定されず、検出手段４及びソレノイド５，５…の少なくとも一方を表示部１の内部に設けることも可能である。また、以上の実施の形態において、アクチュエータとしてソレノイドを用いているが、これに限定されず、モータ等、他のアクチュエータを用いることも可能である。
【００４３】
また、以上の実施の形態において、表示装置として液晶テレビを例に説明したが、これに限定されず、液晶テレビ以外の液晶表示装置、プラズマ表示装置、ＥＬディスプレイ等の表示装置にも適用可能であり、その他、特許請求の範囲に記載した事項の範囲内において種々変更した形態にて実施することが可能であることは言うまでもない。
【図面の簡単な説明】
【００４４】
【図１】本発明の実施の形態１に係る表示装置の構成を示す側面図である。
【図２】本発明の実施の形態１に係る表示装置のスタンドの形状を略示する平面図であり、転倒防止体の動作説明図である。
【図３】本発明の実施の形態１に係る表示装置のスタンドの部分断面図であり、転倒防止体の動作説明図である。
【図４】本発明の実施の形態１に係る表示装置の検出手段の動作説明図である。
【図５】本発明の実施の形態２に係る表示装置の検出手段の動作説明図である。
【図６】本発明の実施の形態２に係る表示装置の検出手段の拡大図である。
【図７】本発明の実施の形態３に係る表示装置の検出手段の動作説明図である。
【図８】本発明の実施の形態４に係る表示装置の転倒防止体の動作説明図である。
【符号の説明】
【００４５】
１    表示部
２    スタンド
２１  ベース部
２２  脚部
３    転倒防止体
４    検出手段
４０  重り
４１  スイッチ
４２  筒体
４３  ボール
５    ソレノイド
６    バネ
【図１】
2007334259.tif 000003
【図２】
2007334259.tif 000004
【図３】
2007334259.tif 000005
【図４】
2007334259.tif 000006
【図５】
2007334259.tif 000007
【図６】
2007334259.tif 000008
【図７】
2007334259.tif 000009
【図８】
2007334259.tif 000010